(57)【要約】【課題】屋根勾配を変更しても同一形状の支持部材を使用することで施工コストの低減化を図ることができる。【解決手段】稜線部１ａを形成している一対の垂木２，２と、これら垂木上に敷設された金属製の葺き瓦４と、稜線部に固定された金属製の支持部材６と、支持部材に固定されて稜線部の上部を覆う金属製の棟カバー７と、棟カバーの下部外周及び最上部の葺き瓦の上部の間を覆う金属製の雨押え８とを備えた屋根の棟構造である。支持部材６は、一対の垂木の稜線部側の端部にそれぞれ固定した一対の脚部１３，１３と、これら一対の脚部の上部に固定され、棟カバーを支持する支持板１４とを備え、一対の脚部の上部に、支持板に向けて円弧形状に突出する円弧連結部１３ｄが形成されており、この円弧連結部と支持板との当接部位が着脱自在に固定されている。【選択図】図１
2010084432.tif 000002
【特許請求の範囲】
【請求項１】
互いに下り傾斜を付けて連結することで稜線部を形成している一対の垂木と、これら垂木上に敷設された金属製の葺き瓦と、前記稜線部に固定された金属製の支持部材と、この支持部材に固定されて前記稜線部の上部を覆う金属製の棟カバーと、棟カバーの下部外周及び最上部の前記葺き瓦の上部の間を覆う金属製の雨押えとを備えた屋根の棟構造において、
前記支持部材は、前記一対の垂木の前記稜線部側の端部にそれぞれ固定した一対の脚部と、これら一対の脚部の上部に固定され、前記棟カバーを支持する支持板とを備え、
前記一対の脚部の上部に、前記支持板に向けて円弧形状に突出する円弧連結部が形成されており、当該円弧連結部と前記支持板との当接部位が着脱自在に固定されていることを特徴とする屋根の棟構造。
【請求項２】
前記円弧連結部及び前記支持板の前記当接部位を含む位置に、前記垂木の傾斜方向に長尺方向が延在する長孔をそれぞれ形成し、これら長孔に挿通した連結ボルトをナットで締付けることで前記一対の脚部及び前記支持板を着脱自在に固定することを特徴とする請求項１記載の屋根の棟構造。
【請求項３】
前記棟カバーに、前記棟カバーに覆われた前記稜線部の上部の内部空間と、前記棟カバーの外側の外気とで空気を循環させる換気部を設けたことを特徴とする請求項１又は２記載の屋根の棟構造。
【請求項４】
前記換気部は、前記外気から前記棟カバー内部への水分の浸入を妨げて空気のみを通過可能とする通気フィルターを備えていることを特徴とする請求項３記載の屋根の棟構造。
【請求項５】
前記棟カバーの外壁は、のし瓦状の外観を呈する複数の凸部を有するサイディング材で覆われていることを特徴とする請求項１乃至４の何れか１項記載の屋根の棟構造。
【発明の詳細な説明】
【技術分野】
【０００１】
本発明は、屋根の棟構造に係り、具体的には金属製瓦を屋根葺き材とした棟構造に関する。
【背景技術】
【０００２】
近年、屋根葺き材として、軽量で耐久性・加工性に優れた日本瓦形状の金属瓦を用いる家屋が増えてきている。このような金属瓦を葺き瓦とした屋根の棟構造として、例えば特許文献１に記載の構造が知られている。
特許文献１の屋根の棟構造は、互いに下り傾斜を付けて連結することで稜線部を形成している一対の垂木と、これら垂木上に敷設された金属製瓦からなる葺き瓦と、一対の垂木の上部に跨がって固定された支持部材と、この支持具に固定されて稜線部を上方から覆っている棟カバーと、棟カバーの下部と連続して最上部の葺き瓦の上部を覆う雨押え（特許文献１では棟エプロンと称している。）とを備え、雨押えで棟カバー内部に雨水が浸入するのを防止し、支持具を一対の垂木に跨がって固定することで支持具を安定して固定することができ、耐震性が向上した構造である。
【特許文献１】特許２００５−３３０７６６号公報
【発明の開示】
【発明が解決しようとする課題】
【０００３】
しかし、特許文献１の屋根の棟構造は、屋根勾配（一対の垂木の下り傾斜角度）を変更すると、一対の垂木の上部に跨がって固定する支持具の形状を変更しなければならず、施工コストの低減化の面で問題がある。
また、特許文献１の構造は、棟カバーで囲まれた稜線部の上部の内部空間と外気とが遮断され、内部空間の換気が不十分なので、湿気の滞留により屋根の棟構造に使用した垂木など木質系材料の性能が低下するおそれがある。
【０００４】
本発明は、上記のような従来技術が有する問題点を解決するためになされたものであり、屋根勾配を変更しても同一形状の支持部材を使用することで施工コストの低減化を図ることができるとともに、屋根棟の内部空間の換気を確実に行うことができる屋根の棟構造を提供することを目的としている。
【課題を解決するための手段】
【０００５】
上記目的を達成するために、請求項１記載の発明は、互いに下り傾斜を付けて連結することで稜線部を形成している一対の垂木と、これら垂木上に敷設された金属製の葺き瓦と、前記稜線部に固定された金属製の支持部材と、この支持部材に固定されて前記稜線部の上部を覆う金属製の棟カバーと、棟カバーの下部外周及び最上部の前記葺き瓦の上部の間を覆う金属製の雨押えとを備えた屋根の棟構造において、前記支持部材は、前記一対の垂木の前記稜線部側の端部にそれぞれ固定した一対の脚部と、これら一対の脚部の上部に固定され、前記棟カバーを支持する支持板とを備え、前記一対の脚部の上部に、前記支持板に向けて円弧形状に突出する円弧連結部が形成されており、当該円弧連結部と前記支持板との当接部位が着脱自在に固定されている。
【０００６】
また、請求項２記載の発明は、請求項１記載の屋根の棟構造において、前記円弧連結部及び前記支持板の前記当接部位を含む位置に、前記垂木の傾斜方向に長尺方向が延在する長孔をそれぞれ形成し、これら長孔に挿通した連結ボルトをナットで締付けることで前記一対の脚部及び前記支持板を着脱自在に固定した。
また、請求項３記載の発明は、請求項１又は２記載の屋根の棟構造において、前記棟カバーに、前記棟カバーに覆われた前記稜線部の上部の内部空間と、前記棟カバーの外側の外気とで空気を循環させる換気部を設けた。
【０００７】
また、請求項４記載の発明は、請求項３記載の屋根の棟構造において、前記換気部は、前記外気から前記棟カバー内部への水分の浸入を妨げて空気のみを通過可能とする通気フィルターを備えている。
さらに、請求項５記載の発明は、請求項１乃至４の何れか１項記載の屋根の棟構造において、前記棟カバーの外壁は、のし瓦状の外観を呈する複数の凸部を有するサイディング材で覆われている。
【発明の効果】
【０００８】
本発明に係る屋根の棟構造によると、一対の垂木の稜線部側の端部にそれぞれ固定した支持部材の一対の脚部は、その円弧形状に延在した円弧連結部の一部が支持板に当接して着脱自在に固定されるので、支持部材の組立て作業を簡単に行うことができる。そして、一対の垂木に固定された支持部材で棟カバーを支持しているので、耐震性に優れた屋根の棟構造とすることができる。
【０００９】
また、一対の垂木の傾斜角度が異なる種々の稜線部に対して施工する場合であっても、同一形状の支持部材を使用することができるので、屋根棟の施工コストの低減化を図ることができる。
【発明を実施するための最良の形態】
【００１０】
以下、本発明を実施するための最良の形態（以下、実施形態という。）を、図面を参照しながら詳細に説明する。
図１は本発明に係る屋根の棟構造の１実施形態を鉛直方向断面で示した図、図２は屋根勾配を変更した屋根の棟構造を示す鉛直方向断面図、図３は図１のＡ−Ａ線矢視図、図４は図２のＢ−Ｂ線矢視図である。
【００１１】
本実施形態は、金属瓦屋根の棟部に本発明の屋根の棟構造を適用したものである。
図１に示すように、本実施形態の屋根棟１は、稜線部１ａの両側に延在する一対の垂木２，２と、これら垂木２，２上に貼設した野地板３と、野地板３上に固定された金属瓦からなる葺き瓦４と、稜線部１ａ近くの葺き瓦４の端部に固定された軒面戸５と、稜線部１ａに固定された支持部材６と、稜線部１ａの上部を覆うように支持部材６に固定された金属製の軒カバー７と、軒カバー７の下部、支持部材６及び葺き瓦４の上部を覆う金属製の雨押え８と、軒カバー７の側面に配置した金属製のサイディング材９と、軒カバー７の天井板に配置した金属製のがんぶり瓦部１０と、軒カバー７の側面上部に設けた換気部１１とで構成されている。
【００１２】
一対の垂木２，２は、稜線部１ａの両側に互いに逆方向に下り傾斜を付けて配置されている。これら垂木２，２に貼設した野地板３上には、アスファルトルーフィング１２による防水処理が施され、その上に葺き瓦４が固定されている。
葺き瓦４は、屋根棟１の稜線方向（図１の紙面垂直方向）に畝形状が等間隔で連なっており、この畝形状が屋根棟１に和瓦風の外観を形成している。
【００１３】
支持部材６は、一対の脚部１３，１３と、これら一対の脚部に連結する支持板１４とで構成されている。
脚部１３は、互いに直交する固定部１３ａ及び立上がり部１３ｂを備えた金属板であり、固定部１３ａには固定ネジを挿通する複数のネジ孔１３ｃが形成されており、立上がり部１３ｂの端部には、固定部１３ａ側に円弧形状が延在する円弧連結部１３ｄが設けられている。図３に示すように、円弧連結部１３ｄには、この円弧連結部１３ｄの曲率方向に長尺側が延在する長孔１３ｅが形成されている。
【００１４】
支持板１４は、山形に折り曲げられて稜線方向に延在する長尺な金属板であり、第１辺部１４ａ及び第２辺部１４ｂには、長尺側が傾斜方向に延在する一対の長孔１４ｃ，１４ｃが形成されている。この一対の長孔１４ｃ，１４ｃは、支持板１４の長手方向に所定間隔をあけて形成されている。
一対の脚部１３，１３は、互いの立上がり部１３ｂが対向するように、それぞれの固定部１３ａを稜線部１ａ側の一対の垂木２，２上に配置し、固定部１３ａのネジ孔１３ｃを挿通した固定ネジ２２を、野地板３及び垂木２に打ち込むことで、一対の垂木２，２上に固定される。この一対の脚部１３，１３は、稜線方向に所定間隔をあけて複数組配置される。
【００１５】
そして、稜線方向に配置した複数組の脚部１３，１３の円弧連結部１３ｄに形成した一対の長孔１３ｅ，１３ｅに、支持板１４の一対の長孔１４ｃ，１４ｃを対応させ、これら長孔１３ｅ，１４ｃに連結ボルト１５を通し、ナット１６で締め付けることで、複数組の脚部１３，１３に支持板１４が固定されている。
軒カバー７は、天井板７ａと、天井板７ａの縁部から互いに平行に垂下している一対の側板７ｂ，７ｂと、一対の側板７ｂ，７ｂの下端から拡がって形成した袴部７ｃとを備えた箱形状の金属部材である。一対の側板７ｂ，７ｂの上部には、換気部１１を構成する通気孔７ｄが形成されている。この軒カバー７は、袴部７ｃが支持部材６の支持板１４の両縁部を囲むように当接し、固定ネジ１７を袴部７ｃ、支持板１４に打ち込むことで、支持板１４に固定されている。
【００１６】
雨押え８は、軒カバー７の側板７ｂの下部及び袴部７ｃを外側から覆っているとともに、葺き瓦４まで延在して葺き瓦４の上面に当接しており、固定ネジ１８を袴部７ｃに打ち込むことで、軒カバー７に固定されている。この雨押え８の葺き瓦４の上面に当接する部分は、端部が上方に延在するように折り返されて弾性変形しながら葺き瓦４の上面に当接している。この雨押え８の外装面は、葺き瓦４と同系色に統一されている。
【００１７】
サイディング材９は、熨斗（のし）瓦の外観を呈するように複数の凸部９ａを設けた形状を有して軒カバー７の側板７ｂを外面から覆う部材であり、その上部は軒カバー７の側板７ｂに固定ネジ１９を打ち込むことで固定され、下部は、雨押え８の内側に重なった状態で固定ネジ２０に固定されている。このサイディング材９の外装面も、葺き瓦４と同系色に統一されている。
【００１８】
がんぶり瓦部１０は、軒カバー７の天井板７ａに固定ネジ２０，２１を打ち込むことで固定されている箱形状の基部１０ａと、基部１０ａに連結ネジ１０ｂを介して固定されている金属瓦からなるがんぶり瓦１０ｃとで構成されている。そして、基部１０ａ及びがんぶり瓦１０ｃは、葺き瓦４と同系色に統一されている。
換気部１１は、軒カバー７の天井板７ａ及び一対の側板７ｂ，７ｂの上部を覆うフード１１ａ，１１ａと、各フード１１ａの上部をがんぶり瓦部１０の基部１０ａに固定する固定ネジ１１ｂと、各フード１１ａの下部及び側板７ｂの間に配置した所定の厚み有する通気フィルター１１ｃと、各フード１１ａの下部、通気フィルター１１ｃ及び側板７ｂを貫通してフード１１ａの下部を固定する固定ネジ１１ｄとで構成されている。この換気部１１は、側板７ｂの通気孔７ｄを形成した外面の回りを、フード１１ａ及び通気フィルター１１ｃが囲んでいる。通気フィルター１１ｃは、発泡性合成樹脂、或いは多孔質合成樹脂等からなり空気の通過が可能な部材であり。そして、フード１１ａも、葺き瓦４と同系色に統一されている。
【００１９】
ここで、図２に示すように、一対の垂木２，２の傾斜角度が大きい稜線部１ａに対して屋根棟１の施工を行う場合にも、図１の垂木２，２の傾斜角度が緩やかな稜線部１ａで使用した支持部材６と同一形状のものを使用することができる。
すなわち、一対の垂木２，２の傾斜角度が大きくなると、これら一対の垂木２，２に固定されている一対の脚部１３，１３の立上がり部１３ｂは、図１と比べて鉛直方向に対して傾き角度が大きくなる位置に変化するが、一対の垂木２，２の傾斜角度が小さい場合と同様に、立上がり部１３ｂの先端に形成した円弧連結部１３ｄの円弧形状の一部が、支持板１４の第１辺部１４ａ及び第２辺部１４ｂの長孔１４ｃを形成した部位に当接し、図４に示すように長孔１３ｅ及び長孔１４ｃとが対応するので、図３で示した位置と異なる長孔１３ｅ，１４ｃの位置に連結ボルト１５を通し、ナット１６で締め付けることで、一対の脚部１３，１３に支持板１４が固定される。
【００２０】
したがって、上記の構成によると、一対の垂木２，２の傾斜角度が異なる種々の稜線部１ａに対して屋根棟１を施工する場合であっても、同一形状の支持部材６を使用することができるので、屋根棟１の施工コストの低減化を図ることができる。
また、垂木２に固定された支持部材６の脚部１３には、円弧形状に延在した円弧連結部１３ｄが形成されており、この円弧連結部１３ｄの一部を、支持部材６の支持板１４に当接し、互いの長孔１３ｅ，１４ｃを対応させるだけで、連結ボルト１５及びナット１６を使用して脚部１３及び支持板１４を連結することができるので、支持部材６の組立て作業を簡単に行うことができる。そして、一対の垂木に固定された支持部材６で棟カバー７を支持しているので、耐震性に優れた屋根棟１とすることができる。
【００２１】
また、雨押え８は、軒カバー７の側板７ｂの下部及び袴部７ｃを外側から覆い、葺き瓦４まで延在して葺き瓦４の上面に当接しているとともに、雨押え８の葺き瓦４の上面に当接する部分が、端部が上方に延在するように折り返されて弾性変形しながら葺き瓦４の上面に当接しているので、葺き瓦４側から雨押え８の内側に水が浸入するのを防止し、屋根棟１の耐久性を大幅に向上させることができる。
【００２２】
また、サイディング材９は、軒カバー７の側板７ｂを外面から覆っているので軒カバー７が風雨に晒されず、軒カバー７の腐食を防止することができるとともに、熨斗（のし）瓦の外観を呈するように複数の凸部９ａを設けた形状を有しているので、屋根軒１の和風外観を向上させることができる。
さらに、支持部材６及び軒カバー７で囲まれている稜線部１ａの上部空間Ｓは、換気部１１を構成する通気フィルター１１ｃ、軒カバー７の側板７ｂに形成した通気孔７ｄを介して外気と連通しており、上部空間Ｓの湿った空気を外気に排出することができるので、稜線部１ａの湿気を防止することができ、垂木２の性能は長期に渡って維持される。
【００２３】
さらにまた、通気フィルター１１ｃは、フード１１ａに囲まれて下部のみが外気に開口する構造となっており、雨水との接触が防止されて耐久性が向上するとともに、風雨が激しい場合であっても、上部空間Ｓに水が浸入するのを確実に防止することができる。
【図面の簡単な説明】
【００２４】
【図１】本発明に係る屋根の棟構造を示す鉛直方向断面図である。
【図２】図１と比較して一対の垂木の傾斜角度が大きい稜線部を有する屋根の棟構造の鉛直方向断面図である。
【図３】図１のＡ−Ａ線矢視図である。
【図４】図２のＢ−Ｂ線矢視図である。
【符号の説明】
【００２５】
１…屋根棟、１ａ…稜線部、２…垂木、３…野地板、４…葺き瓦、５…軒面戸、６…支持部材、７…軒カバー、７ａ…天井板、７ｂ…側板、７ｃ…袴部、７ｄ…通気孔、８…雨押え、９…サイディング材、９ａ…凸部、１０…熨斗（のし）瓦部、１０ａ…基部、１０ｂ…連結ネジ、１０ｃ…がんぶり瓦、１１…換気部、１１ａ，１１ａ…フード、１１ｂ…固定ネジ、１１ｃ…通気フィルター、１１ｄ…固定ネジ、１２…アスファルトルーフィング、１３…脚部、１３ａ…固定部、１３ｂ…立上がり部、１３ｃ…ネジ孔、１３ｄ…円弧連結部、１３ｅ…長孔、１４…支持板、１４ａ…第１辺部、１４ｂ…第２辺部、１４ｃ…長孔、１５…連結ボルト、１６…ナット、１７〜２２…固定ネジ、Ｓ…上部空間
【図１】
2010084432.tif 000003
【図２】
2010084432.tif 000004
【図３】
2010084432.tif 000005
【図４】
2010084432.tif 000006